(57)【要約】【課題】  監視装置に使用される記憶装置の長寿命化を図るとともに、記憶する監視データの扱いを考慮し、例えば通信端末からの異常の通報に対しても、監視装置としての異常処理等に好適に対応が出来るようにする。【解決手段】  設備を監視する監視端末５０１からの監視データを受信し、必要に応じて集約監視データを作成する通信装置２０１〜２０３と、監視データ及び前記集約監視データを記憶する記憶装置２１３、２１４と、通信装置２０１〜２０３と記憶装置２１３、２１４とを接続するネットワーク線３０１と、を筐体に格納する監視装置において、記憶装置２１３、２１４を複数有しており、通信装置２０１は、監視データ及び前記集約監視データを記憶装置２１３、２１４のうちの１つに送信するとともに、複数の記憶装置２１３、２１４への電源供給をそれぞれＯＮ／ＯＦＦ制御する手段を有する。【選択図】        図１
2006262362.tif 000002
【特許請求の範囲】
【請求項１】
設備を監視する監視端末からの監視データを受信し、必要に応じて集約監視データを作成する通信装置と、前記監視データ及び前記集約監視データを記憶する記憶装置と、前記通信装置と前記記憶装置とを接続するネットワーク線と、を筐体に格納する監視装置であって、
前記記憶装置を複数有しており、前記通信装置は、前記監視データ及び前記集約監視データを前記記憶装置のうちの１つに送信するとともに、前記複数の記憶装置への電源供給をそれぞれＯＮ／ＯＦＦ制御する手段を有することを特徴とする監視装置。
【請求項２】
請求項１記載の監視装置において、
前記通信装置は、一の記憶装置の電源ＯＦＦとする際に、該記憶装置に記憶する監視データ及び集約監視データを他の記憶装置に格納するよう指示する手段を有することを特徴とする監視装置。
【請求項３】
請求項１記載の監視装置において、
前記記憶装置の電源供給をそれぞれＯＮ／ＯＦＦとするスイッチと、該スイッチにＯＮ／ＯＦＦをそれぞれ指示する入出力装置とを備えることを特徴とする監視装置。
【請求項４】
設備を監視する監視端末からの監視データを受信し集約監視データを作成する通信装置であって、
前記監視データ及び前記集約監視データを、ネットワーク線を介して接続した複数の記憶装置のうちの１つに送信するとともに、前記複数の記憶装置への電源供給をそれぞれＯＮ／ＯＦＦ制御する手段を有することを特徴とする通信装置。
【請求項５】
請求項１記載の監視装置と、該装置外部のクライアントパソコンとからなる監視システムであって、
前記クライアントパソコンは、前記ネットワーク線を介して前記監視装置と接続されることを特徴とする監視システム。
【発明の詳細な説明】
【技術分野】
【０００１】
本発明は、監視装置及び通信装置並びに監視システムであり、特に上下水道の給水、配水設備や、産業用の生産設備、販売データ収集設備等の監視などする技術に関する。
【背景技術】
【０００２】
従来から、通信端末と監視装置が通信して設備を監視するシステムが知られている。従来のような監視システムでは、中央監視センターに監視装置が設けられるが、この監視装置は、複数の箇所に設けられた通信端末から定期的に（例えば、１日１回）情報を通信を経由して取得して、記憶することが行われる。
【０００３】
その際に、複数の通信端末の情報を記憶することを考慮して、記憶装置も大容量のものを監視装置に備える場合がある。その記憶装置としては、例えば、磁気記憶媒体を用いるものがある。具体的には、所謂ハードディスクと呼ばれるものである。
【０００４】
ところで、上記監視装置は、通信端末を監視する為のものであるから、常時通電状態とされることが要求されるものである。極端な場合では、監視装置を導入後は、昼夜を問わず連続通電して使用されることがある。
【０００５】
上記監視装置の動作において、記憶装置に関し、その寿命が懸念される。それは、上述のように記憶装置が通電状態を継続していると、動作による経年変化による構成部品等の劣化によって、不具合が生じて、正常に情報を記憶出来なくなったり、場合によっては、記憶情報が消失してしまうことが想定される。これらは、記憶装置として、例えば、磁気記憶媒体を使用するもので、回転などの機構部分を有している場合には、その発生が十分予想されるものであり、問題である。
【０００６】
これらに対する発明として、特許文献１、２などがある。特許文献１は、コンピュータの自動電源制御の方式に関する提案であって、外部装置と通信待機時の省電力を図り、ランニングコストの低減及び耐久性劣化の防止を実現するものである。そのために、特許文献１では、外部からの受信データが存在しない場合は、情報処理部に電源は接続されない。このようにして、上記問題を解決しようとするものである。
【０００７】
また、特許文献２は、監視装置に使用される記憶装置の長寿命化を行っている。しかしながら、記憶する監視データをどのように扱うかを考慮していない。
【特許文献１】特開平１０−３２７２５９号公報
【特許文献２】特開２００５−３１８２８号公報
【発明の開示】
【発明が解決しようとする課題】
【０００８】
本発明では、監視装置に使用される記憶装置の長寿命化を図るとともに、記憶する監視データの扱いを考慮し、例えば通信端末からの異常の通報に対しても、監視装置としての異常処理等に好適に対応が出来るようにすることを目的とする。
【課題を解決するための手段】
【０００９】
本発明は、設備を監視する監視端末からの監視データを受信し、必要に応じて集約監視データを作成する通信装置と、前記監視データ及び前記集約監視データを記憶する記憶装置と、前記通信装置と前記記憶装置とを接続するネットワーク線と、を筐体に格納する監視装置であって、前記記憶装置を複数有しており、前記通信装置は、前記監視データ及び前記集約監視データを前記記憶装置のうちの１つに送信するとともに、前記複数の記憶装置への電源供給をそれぞれＯＮ／ＯＦＦ制御する手段を有する監視装置である。
【００１０】
また、本発明は、前記通信装置は、一の記憶装置の電源ＯＦＦとする際に、該記憶装置に記憶する監視データ及び集約監視データを他の記憶装置に格納するよう指示する手段を有する監視装置である。
【００１１】
そして、本発明は、前記記憶装置の電源供給をそれぞれＯＮ／ＯＦＦとするスイッチと、該スイッチにＯＮ／ＯＦＦをそれぞれ指示する入出力装置とを備える監視装置である。
【００１２】
更に、本発明は、設備を監視する監視端末からの監視データを受信し集約監視データを作成する通信装置であって、前記監視データ及び前記集約監視データを、ネットワーク線を介して接続した複数の記憶装置のうちの１つに送信するとともに、前記複数の記憶装置への電源供給をそれぞれＯＮ／ＯＦＦ制御する手段を有する通信装置である。
【００１３】
また、本発明は、上記監視装置と、該装置外部のクライアントパソコンとからなる監視システムであって、前記クライアントパソコンは、前記ネットワーク線を介して前記監視装置と接続される監視システムである。
【発明の効果】
【００１４】
本発明によれば、監視装置の記憶装置の寿命を、従来に比べて、長寿命化することが可能となる。
【発明を実施するための最良の形態】
【００１５】
本発明を実施するための最良の形態を説明する。
以下、本発明の監視装置及び通信装置並びに監視システムの実施例について、図面を用いて説明する。
【００１６】
図１に本監視システムが使用されるシステムの１例としてマンホールポンプ監視システムの全体構成を示す。監視室３００に設置された監視装置２００は、各機場に設置された通信端末５０１〜５０３と電話回線４００を介して通信を行い、通信端末５０１〜５０３内に蓄積されたマンホールポンプ（監視対象）５０７〜５０９の運転情報を取得する。また、マンホールポンプ５０７〜５０９に異常が発生した場合には、通信端末５０１〜５０３が電話回線４００を通じて監視装置２００へ警報を発報し、警報を受信した監視装置２００は、ＬＡＮ３０１を介してクライアントパソコン３０２の画面に表示するなどして、ユーザに警報を知らせる。
【００１７】
図２に監視装置２００の構成を示す。監視装置２００は、通信装置（１）〜（３）２０１〜２０３、スイッチ２０８、２０９、入出力装置２１１、ＨＤＤ（１）、（２）２１３、２１４、ＬＡＮ３０１などを有する。通信装置（１）〜（３）２０１〜２０３は、監視プログラムを実行するＣＰＵ、モデム、メモリ、フラッシュメモリなどを有し、通信端末５０１〜５０３との通信を行い、入出力装置２１１を介してスイッチ２０８、２０９の動作を制御し、ＨＤＤ（１）、（２）２１３、２１４に取得情報などを記録させる。
【００１８】
スイッチ２０８、２０９は、磁気記憶装置２１３、２１４の電源を投入／切断する。
【００１９】
入出力装置２１１は、通信装置１（２０１）の制御を受けて、スイッチ２０８、２０９の動作を指示し、また、ブザー２０７や動作中ランプ２０６の電源入り切りを行なう。起動停止ボタン２１２により起動停止を行なう。なお、入出力装置２１１を通信装置１（２０１）と別体としているが、入出力装置２１１の入力部と出力部を通信装置１（２０１）に持たせ、通信装置１（２０１）内で入出力することも可能である。
【００２０】
ＨＤＤ１、２（２１３、２１４）は、通信装置２０１〜２０３が取得した情報を記録する磁気記録装置である。ＬＡＮ３０１は、通信装置２０１〜２０３とＨＤＤ（１）、（２）２１３、２１４を接続する。なお、ＬＡＮ３０１は、監視装置２００の外部のパソコン３０２と接続可能である。
【００２１】
実施例におけるデータバックアップの動作の一例を説明する。
（１）日替わり（夜中の０時３０分ごろ）になると、ＨＤＤ１からＨＤＤ２へとデータをバックアップする。バックアップするのは、プログラムではなく、通信して収集したデータのみである。
（２）バックアップされるデータは、バックアップ１、バックアップ２の名前を持ち、当日は、バックアップ１を書き換える。翌日には、バックアップ２を書き換える。これにより、バックアップ動作失敗時に、データがなくなることを防ぐことができる。
（３）ＨＤＤ内の工場出荷時のデータは、プログラムも含み、ＨＤＤ１とＨＤＤ２が同等のデータを持つようにする。これにより、ＨＤＤ１が故障した時に、ＨＤＤ２と交換できるようにする。ＨＤＤ２の電源が入るのは、バックアップの時のみであり、ＨＤＤの寿命を延ばすことができる。
【００２２】
実施例におけるＨＤＤ１、ＨＤＤ２の電源ＯＮ時間について、図３及び図４を用いて説明する。
（１）昼間、操作員が操作してＨＤＤの反応が良くなるように、８時５０分から１８時までは、自動でＨＤＤ１の電源がＯＮになるようにする（図３の６０１）。
（２）ＨＤＤ１からＨＤＤ２へデータをコピーする時は、ＨＤＤ１、ＨＤＤ２とも、電源をＯＮにする。図３の６０２と図３の６１２。製品を作る際には、データをコピーする時間は、日替わりした直後（０時半）から約１時間の動作が好ましい。
（３）操作員が履歴データを検索する場合は、ＨＤＤ１をＯＮとする。図３中の６０３は、夜間に非常の現象があり、履歴を検索した場合の例である。８時５０分から１８時の間に検索する時（図３中の６０４）は、ＨＤＤ１の電源がすでにＯＮになっているため、さらにＯＮする必要はない。
（４）ポーリングは、夜間の３時３０分ころから約２時間、動作する。図３中の６０５。ポーリングの詳細の時間の一例を図５に示す。
（５）警報受信：通信端末から警報が来た場合、警報履歴を記録するために、夜間であれば、図３の６０６のようにＨＤＤ１の電源をＯＮとする。昼間であれば、６０７のように電源をＯＮする必要はない。
（６）以上のＨＤＤ１の電源ＯＮ時間を総合すると、図３中の６０８、６０９、６１０、６１１のようになり、ＨＤＤ１の稼働率を下げることができる（実使用では、約６０％の稼働率と考えられる）。
（７）ＨＤＤ２は、図３中の６１２のように、ＨＤＤ１から、ＨＤＤ２にデータをコピーする時に通電する。実使用では、約１時間と考えられる。
【００２３】
実施例におけるＨＤＤの電源入り切り回数が過大になることの防止について、説明する。
（１）警報が頻発すると、図３中の６０６が頻繁に発生する場合が考えられる。例えば、高水位の警報は、ちょうど、水位が高水位近辺でふらふらすると、頻繁に警報の発生と復旧を繰り返す。
（２）これを防ぐために、ＨＤＤの電源切りの時間を遅らせ、警報履歴の書き込みや、データ検索が終了しても、約３０分オフディレイさせ、頻繁なＨＤＤの電源入り切りを防ぐ。
（３）頻繁なＨＤＤ電源入り切りを防ぐ理由は、ＨＤＤ電源入り切りから来るＨＤＤの寿命があるためである。
【００２４】
実施例におけるＨＤＤの寿命モードについて、説明する。
（１）ベアリングの寿命：回転速度と総回転数から決まる。ＨＤＤのＯＮ時間が短ければ、短いほど寿命が長くなる。
（２）機械の支持構造部分の寿命：ＨＤＤのＯＮ、ＯＦＦ回数が多いほど、寿命が短くなると考えられる。最近のＨＤＤでは、あまり問題にはなっていない。
（３）コンデンサの寿命：温度と通電時間による。１０℃温度が高いと、寿命が半分になると言われる。これは、電源オフすれば寿命が長くなる。
（４）電源回路の寿命：これは、ランダムに発生する故障と考えられる。
現在、ＨＤＤの寿命を決めているは、（１）、（３）であり、ＨＤＤ電源オフの効果が見込まれる。
【００２５】
実施例におけるＨＤＤバックアップについて、説明する。
（１）ＨＤＤ１とＨＤＤ２は両方とも同じデータを持つようにする。ただし、システムデータと履歴データはＨＤＤ２では、Ａ、Ｂを持ち、１日ごとに、ＨＤＤ１からシステムデータＡ、履歴Ａ、次の日はシステムデータＢ、履歴Ｂにコピーするようにする。
（２）システムデータと履歴データを区別せず、単に運転中に増大したり、変化するデータとすることもできる。
（３）システムデータとは、監視システムを動かすためのデータで、通信端末の電話番号、通信端末のデジタルデータの解釈方法、アナログデータの解釈方法、ＨＤＤ１の通電時間を朝の８時３０分〜１８時までにするのか、１９時までにするのか、通信端末が１号機から１０号機だったのが、１号機から１２号機に増えた等のデータをいう。システムデータは、毎日変更されるわけではないが、時々監視システムの動作を調整する時に変更される。このため、システムデータも毎日バックアップし、いつ、システムデータが変更されても、ＨＤＤ２にバックアップデータとして、残るようにするのが好ましい。
（４）履歴データとは、日報、月報、年報、トレンドデータ、警報履歴、運転履歴をさす。
監視装置の記憶装置は、情報を読み出したり、記憶する処理を行う場合の必要とされる場合だけ、動作をさせるようにする。
【図面の簡単な説明】
【００２６】
【図１】実施例の監視装置を含む全体システム構成の説明図。
【図２】実施例の監視装置全体構成の説明図。
【図３】実施例のＨＤＤ１の電源ＯＮ時間の一例の説明図。
【図４】実施例のＨＤＤ２の電源ＯＮ時間の一例の説明図。
【図５】実施例におけるポーリング動作の一例の説明図。
【符号の説明】
【００２７】
２００…監視装置、２０５…通電中ランプ、２０６…動作中ランプ、
２０７…ブザー、２０８、２０９…スイッチ、
２１０、５０４〜５０６…入出力装置、
２１３、２１４…ＨＤＤ、
３００…中央監視室、３０１…ＬＡＮ、３０２…クライアントパソコン、
４００…電話回線、
５０１〜５０３…通信端末、５０７〜５０９…監視対象、
【図１】
2006262362.tif 000003
【図２】
2006262362.tif 000004
【図３】
2006262362.tif 000005
【図４】
2006262362.tif 000006
【図５】
2006262362.tif 000007